(57)【要約】【課題】カメラモジュール用コネクタのハウジングを分割して形成することにより部品を共通化して、コストダウンを図る。【解決手段】本発明は、コンタクトピン１７を備えたハウジング１３にシェル１２を組み込み、カメラモジュールを接続自在に構成したカメラモジュール用コネクタ１１に於て、前記ハウジング１３を分割して分割ハウジング１６，１６…を形成し、該分割ハウジング１６，１６…を前記シェル１２に係合して組み立てるように構成し、サイズの異なるシェル１２に対し該ハウジング１６を共用自在に構成したカメラモジュール用コネクタタを提供する。【選択図】  図１
2005025984.tif 000002
【特許請求の範囲】
【請求項１】
コンタクトピンを備えたハウジングにシェルを組み込み、カメラモジュールを接続自在に構成したカメラモジュール用コネクタに於て、前記ハウジングを分割して分割ハウジングを形成し、該分割ハウジングを前記シェルに係合して組み立てるように構成し、サイズの異なるシェルに対し該ハウジングを共用自在に構成したことを特徴とするカメラモジュール用コネクタ。
【請求項２】
上記分割ハウジングはコンタクトピンのインサート成形品であることを特徴とする請求項１記載のカメラモジュール用コネクタ。
【請求項３】
上記分割ハウジングは上端部に上方に開放する係合溝が形成され、上記シェルを該係合溝に嵌入させて該分割ハウジングと該シェルとが組み立てられることを特徴とする請求項１又は２記載のカメラモジュール用コネクタ。
【請求項４】
上記分割ハウジングは下端部に下方に開放する係合溝が形成され、上記シェルを該係合溝に嵌入させて該分割ハウジングと該シェルとが組み立てられることを特徴とする請求項１又は２記載のカメラモジュール用コネクタ。
【発明の詳細な説明】
【０００１】
【発明の属する技術分野】
この発明は、カメラモジュール用コネクタに関するものであり、特に、コンタクトピンを備えたハウジングにシェルを組み込み、カメラモジュールを接続自在に構成したカメラモジュール用コネクタに於て、ハウジングを分割して形成することにより、ハウジングを共用自在に構成し、コストダウンを図ったカメラモジュール用コネクタに関するものである。
【０００２】
【従来の技術及び発明が解決しようとする課題】
従来の此種カメラモジュール用コネクタを図５に従って説明する。図５（ａ）に於て、１はカメラモジュール用コネクタであり、該カメラモジュール用コネクタ１は略矩形枠状に形成されたハウジング２と、該ハウジング２の上端及び外側部を被蔽するシェル３とから成る。
【０００３】
そして、図５（ｂ）に示す如く、前記ハウジング２の内側部には複数のコンタクトピン４，４…が折曲されて圧入され、該コンタクトピン４の一端４ａは下方に突出し、且つ、水平方向外方に折曲され、基板（図示せず）上に載置可能に構成され、他端４ｂはカメラモジュール（図示せず）の端子に接触させるべく該ハウジング２の内方に突出している。又、前記ハウジング２の対向する二隅には上方に開放する係合溝５，５が形成されている。
【０００４】
一方、前記シェル３は前記ハウジング２の外側面に嵌合させる略矩形枠状の側板６，６…と、該側板６，６…の上端から水平方向内方に突設する上板７，７…とから成る金属板で形成され、該シェル３の対向する二隅に前記係合溝５，５に係合するため内方に折曲して突出する係合部８，８が形成されている。
【０００５】
而して、前記ハウジング２の上方から前記シェル３を嵌合し、且つ、前記係合部８，８を前記係合溝５，５に係合させることにより、該シェル３によって該ハウジング２の上面及び外側面を被蔽して、カメラモジュール用コネクタ１を組み立てることができる。
【０００６】
然しながら、該カメラモジュール用コネクタ１はカメラモジュールのサイズが異なる毎に、前記ハウジング２及び前記シェル３を作り替えなければならないため、コスト高となっていた。
【０００７】
又、本願出願人は、此種モジュール用コネクタを既に出願しており、（例えば、特願２００２−２２００８５）、該モジュール用コネクタも前述のカメラモジュール用コネクタ１と同様にカメラモジュールのサイズ毎にハウジング及びシェルを作り替えなければならないため、コスト高となっていた。
【０００８】
そこで、カメラモジュール用コネクタのハウジングを分割して形成することにより部品を共通化して、コストダウンを図るために解決すべき技術的課題が生じてくるのであり、本発明はこの課題を解決することを目的とする。
【０００９】
【課題を解決するための手段】
本発明は上記目的を達成するために提案されたものであり、請求項１記載の発明は、コンタクトピンを備えたハウジングにシェルを組み込み、カメラモジュールを接続自在に構成したカメラモジュール用コネクタに於て、前記ハウジングを分割して分割ハウジングを形成し、該分割ハウジングを前記シェルに係合して組み立てるように構成し、サイズの異なるシェルに対し該ハウジングを共用自在に構成したカメラモジュール用コネクタである。
【００１０】
この請求項１記載の発明によれば、ハウジングの部品の共通化を図ることにより、型数を低減し、コストダウンを図ることができる。
【００１１】
又、請求項２記載の発明は、上記分割ハウジングはコンタクトピンのインサート成形品である請求項１記載のカメラモジュール用コネクタである。
【００１２】
この請求項２記載の発明によれば、請求項１記載の発明の効果に加え、工数を低減すると共に、ハウジングの寸法安定化を図り、コストダウンを図ることができる。
【００１３】
更に、請求項３記載の発明は、上記分割ハウジングは上端部に上方に開放する係合溝が形成され、上記シェルを該係合溝に嵌入させて該分割ハウジングと該シェルとが組み立てられる請求項１又は２記載のカメラモジュール用コネクタである。
【００１４】
この請求項３記載の発明によれば、請求項１又は２記載の発明の効果に加え、基板上に載置するカメラモジュール用コネクタを形成することができる。
【００１５】
更に又、請求項４記載の発明は、上記分割ハウジングは下端部に下方に開放する係合溝が形成され、上記シェルを該係合溝に嵌入させて該分割ハウジングと該シェルとが組み立てられる請求項１又は２記載のカメラモジュール用コネクタである。
【００１６】
この請求項４記載の発明によれば、請求項１又は２記載の発明の効果に加え、基板貫通型のカメラモジュール用コネクタを形成することができる。
【００１７】
【発明の実施の形態】
以下、本発明の一実施の形態を図１乃至図４に従って詳述する。図１（ａ）に於て、１１はカメラモジュール用コネクタであり、該カメラモジュール用コネクタ１１は、略八角形枠状に形成されたシェル１２にハウジング１３が係合されて形成される。
【００１８】
即ち、同図（ｂ）に示す如く、前記シェル１２は比較的長い寸法の４長側辺１４，１４…と該４長側辺１４，１４…間に夫々形成される比較的短い寸法の４短側辺１５，１５…から成る略八角形の枠状に形成され、そして、該長側辺１４の中央下部に位置決め片１４ａが突設し、前記短側辺１５の中央下部には下方に突設して、突設先端部が外方水平方向に折曲された脚部１５ａが形成されている。
【００１９】
一方、前記ハウジング１３は４つに分割された略平板状の分割ハウジング１６，１６…から成り、該分割ハウジング１６はコンタクトピン１７，１７…が夫々インサートされたインサート成形品として形成される。そして、該分割ハウジング１６の上端部には上方に開口する長手方向に延びる係合溝１８が形成されている。更に、該係合溝１８の中央下部には前記位置決め片１４ａを嵌入させるための穴（図示せず）が形成されている。
【００２０】
而して、前記分割ハウジング１６，１６…に形成された前記係合溝１８，１８…に前記シェル１２の長側辺１４，１４…を係合し、且つ、前記位置決め片１４ａ，１４ａ…を前記係合溝１８，１８…に形成された穴に嵌入させて位置決めすると、該シェル１２と該分割ハウジング１３，１３…とによって前記カメラモジュール用コネクタ１１を組み立てることができる。該カメラモジュール用コネクタ１１は比較的小さいカメラモジュール（図示せず）を接続するコネクタとして用いられる。
【００２１】
図２（ａ）に於て、１９は比較的大きいカメラモジュール（図示せず）を接続するカメラモジュール用コネクタであり、該カメラモジュール用コネクタ１９は、前記カメラモジュール用コネクタ（図１に於て１１）のシェル（図１に於て１２）よりも比較的大に形成された略八角形枠状に形成されたシェル２０に前記ハウジング１３が係合されて形成される。
【００２２】
即ち、同図（ｂ）に示す如く、前記シェル２０は比較的長い寸法の４長側辺２１，２１…と該長側辺２１，２１…間に夫々形成される比較的短い寸法の４短側辺２２，２２…とから成る略八角形の枠状に形成され、該長側辺２１は前記シェル（図１に於て１２）の長側辺（図１に於て１４）よりも長く形成され、該短側辺２２は前記シェル（図１に於て１２）の短側辺（図１に於て１５）よりも長く形成されている。
【００２３】
そして、該長側辺２１の中央下部に位置決め片２１ａが突設し、前記短側辺２２の中央下部には下方に突設して、突設先端部が外方水平方向に折曲された脚部２２ａが形成されている。
【００２４】
而して、前記分割ハウジング１６，１６…に形成された前記係合溝１８，１８…に前記シェル２０の長側辺２１，２１…を係合させ、且つ、前記位置決め片２１ａ，２１ａ…を前記係合溝１８に形成された穴に嵌入させて位置決めすると、該シェル２０と該分割ハウジング１６，１６…とによって前記カメラモジュール用コネクタ１９を組み立てることができる。
【００２５】
斯くして、前記分割ハウジング１６は比較的小さいカメラモジュール用の前記カメラモジュール用コネクタ１１に用いることができると共に、比較的大きいカメラモジュール用の前記カメラモジュール用コネクタ１９にも用いることができ、共用化が可能となる。
【００２６】
即ち、ハウジング１３を分割して形成し、分割ハウジング１６，１６…とすることにより、部品の共通化を図り、型数を低減することができると共に、該分割ハウジング１６をコンタクトピン１７のインサート成形品として形成することにより、工数を低減すると共に、寸法安定化を図ることができ、コストダウンを図ることができる。又、ロット管理も容易となり、転用も可能である。
【００２７】
図３（ａ）に於て、２３は基板を貫通して取り付けられる基板貫通型のカメラモジュール用コネクタであり、該カメラモジュール用コネクタ２３は、略八角形枠状に形成されたシェル２４にハウジング２５が係合されて形成される。
【００２８】
即ち、同図（ｂ）に示す如く、前記ハウジング２５は４つに分割された略平板状の分割ハウジング２６，２６…から成り、該分割ハウジング２６はコンタクトピン２７，２７…が夫々インサートされたインサート成形品として形成される。そして、該分割ハウジング２６下端部には下方に開口する長手方向に延びる係合溝２８が形成されている。更に、該係合溝２８の中央上部には後述する位置決め片を嵌入させるための穴（図示せず）が形成されている。
【００２９】
一方、前記シェル２４は比較的長い寸法に形成された４長側辺２９，２９…と該長側辺２９，２９…間に夫々形成される比較的短い寸法に形成された４短側辺３０，３０…から成る略八角形の枠状に形成され、そして、該長側辺２９の中央上部に位置決め片２９ａが突設し、前記４短側辺３０，３０…の内、３つの短側辺３０，３０，３０の中央上部には、基板に取り付けるため、上方に突設して突設先端部が外方水平方向に折曲された取付部３０ａ，３０ａ，３０ａが形成されている。
【００３０】
而して、前記シェル２４の長側辺２９，２９…に前記分割ハウジング２６，２６…に形成された前記係合溝２８，２８…を係合させ、且つ、前記位置決め片２９ａ，２９ａ…を該係合溝２８，２８…に形成した穴に嵌入させて位置決めすると、該シェル２４と該分割ハウジング２６，２６…とによって前記カメラモジュール用コネクタ２３を組み立てることができる。該カメラモジュール用コネクタ２３は比較的小さいカメラモジュール（図示せず）を接続するコネクタとして用いられる。
【００３１】
図４（ａ）に於て、３１は比較的大きいカメラモジュール（図示せず）を接続する基板貫通型カメラモジュール用コネクタであり、該カメラモジュール用コネクタ３１は、前記カメラモジュール用コネクタ（図３に於て２３）のシェル（図３に於て２４）よりも比較的大に形成された略八角形枠状に形成されたシェル３２に前記ハウジング２５が係合されて形成される。
【００３２】
即ち、同図（ｂ）に示す如く、前記シェル３２は比較的長い寸法に形成された４長側辺３３，３３…と該長側辺３３，３３…間に夫々形成される比較的短い寸法に形成された４短側辺３４，３４…から成る略八角形の枠状に形成され、該長側辺３３は前記カメラモジュール用コネクタ（図３に於て２３）のシェル（図３に於て２４）の長側辺（図３に於て２９）よりも長く形成され、該短側辺３４は前記シェル（図３に於て２４）の短側辺（図３に於て３０）よりも長く形成されている。
【００３３】
そして、該長側辺３３の中央上部に位置決め片３３ａが突設し、前記短側辺３４，３４…の内、３つの短側辺３４，３４，３４の中央上部には上方に突設して、突設先端部が外方水平方向に折曲された取付部３４ａ，３４ａ，３４ａが形成されている。
【００３４】
而して、前記シェル３２の長側辺３３，３３…に前記分割ハウジング２６，２６…に形成された前記係合溝２８，２８…を係合し、且つ、前記位置決め片３３ａ，３３ａ…を該係合溝２８，２８…に形成した穴に嵌入させて位置決めすると、該シェル３２と該分割ハウジング２６，２６…とによって前記カメラモジュール用コネクタ３１を組み立てることができる。
【００３５】
斯くして、前記分割ハウジング２６は比較的小さいカメラモジュール用の基板貫通型前記カメラモジュール用コネクタ２３に用いることができると共に、比較的大きいカメラモジュール用の基板貫通型前記カメラモジュール用コネクタ３１にも用いることができ、共用化できると共に、前記分割ハウジング（図１及び図２に於て１６）と同様の効果も期待できる。
【００３６】
尚、本発明は、本発明の精神を逸脱しない限り種々の改変を為すことができ、そして、本発明が該改変されたものに及ぶことは当然である。
【００３７】
【発明の効果】
本発明は上記一実施の形態に詳述したように、請求項１記載の発明は、カメラモジュール用コネクタに於て、ハウジングを分割して分割ハウジングを形成し、該分割ハウジングをシェルに係合して組み立てるように構成し、サイズの異なるシェルに対し該ハウジングを共用自在に構成したので、部品の共通化を図り、型数を低減することができ、コストダウンを図ることができる。
【００３８】
又、請求項２記載の発明は、上記分割ハウジングはコンタクトピンのインサート成形品であるので、請求項１記載の発明の効果に加え、ハウジング製作の工数の低減化、及び、ハウジングの寸法安定化を図ることが可能となり、コストダウンを図ることができる。
【００３９】
更に、請求項３記載の発明は、上記分割ハウジングは上端部に上方に開放する係合溝が形成され、上記シェルを該係合溝に嵌入させて該分割ハウジングと該シェルとが組み立てられるので、請求項１又は２記載の発明の効果に加え、基板上に載置するカメラモジュール用コネクタを形成することができる。
【００４０】
更に又、請求項４記載の発明は、上記ハウジングは下端部に下方に開放する係合溝が形成され、上記シェルを該係合溝に嵌入させて該分割ハウジングと該シェルとが組み立てられるので、請求項１又は２記載の発明の効果に加え、基板貫通型のカメラモジュール用コネクタを形成することができる等、正に著大なる効果を奏する発明である。
【図面の簡単な説明】
【図１】（ａ）本発明の一実施の形態を示し、比較的小さいカメラモジュール用として用いるカメラモジュール用コネクタの斜視図。
（ｂ）図１（ａ）のカメラモジュール用コネクタの組み立て状態を説明する斜視図。
【図２】（ａ）本発明の一実施の形態を示し、比較的大きいカメラモジュール用として用いるカメラモジュール用コネクタの斜視図。
（ｂ）図２（ａ）のカメラモジュール用コネクタの組み立て状態を説明する斜視図。
【図３】（ａ）本発明の一実施の形態を示し、比較的小さいカメラモジュール用として用いる基板貫通型カメラモジュール用コネクタの斜視図。
（ｂ）図３（ａ）のカメラモジュール用コネクタの組み立て状態を説明する斜視図。
【図４】（ａ）本発明の一実施の形態を示し、比較的大きいカメラモジュール用として用いる基板貫通型カメラモジュール用コネクタの斜視図。
（ｂ）図４（ａ）のカメラモジュール用コネクタの組み立て状態を説明する斜視図。
【図５】（ａ）従来例を示し、カメラモジュール用コネクタの斜視図。
（ｂ）図５（ａ）のカメラモジュール用コネクタの組み立て状態を説明する斜視図。
【符号の説明】
１１，１９，２３，３１    カメラモジュール用コネクタ
１２，２０，２４，３２    シェル
１３，２５                ハウジング
１７，２７                コンタクトピン
１８，２８                係合溝
【図１】
2005025984.tif 000003
【図２】
2005025984.tif 000004
【図３】
2005025984.tif 000005
【図４】
2005025984.tif 000006
【図５】
2005025984.tif 000007